(57)【要約】【課題】利用者がリンク先の指定を簡便に行うことができるネットワーク接続型テレビ受像機を提供する。【解決手段】本体２と操作部３から構成される。操作部３は例えばリモコン送信機であり、遠隔操作により本体２の各構成要素を制御する。本体２は、ネットワーク接続手段４、リンク情報取得手段５、リンク情報調整手段６、および表示手段７からなる。頻度表記憶部６２が各リンク先の過去のアクセス頻度を記憶しており、リンク情報解析部６１は、このデータに基づいて、各リンク先のリンク先番号を設定して記憶する。次に、各リンク先の名称と各リンク先番号はOSD（On Screen Display）表示位置計算部６３に出力される。映像表示部７２は、Webページの映像やテレビ放送映像を表示するが、これにより、リンク先名称およびリンク先番号もこれらの映像と同時に、あるいは別途に画面に表示される。【選択図】図１
2008167391.tif 000002
【特許請求の範囲】
【請求項１】
テレビ放送を受信する機能と、ネットワークを介してリンク先より入手した画像情報を表示する機能とを有するネットワーク接続型テレビ受像機であって、
前記リンク先から、リンク先の名称およびURLからなるリンク情報を取得するリンク情報取得手段と、
複数のリンク先から得た複数の前記リンク情報を記憶すると共に、前記各リンク情報に対して前記各リンク先を識別するリンク先番号を前記各リンク先のアクセス履歴に基づき設定し記憶するリンク情報調整手段と、
前記リンク先番号と前記リンク先の名称とを対応させて表示する表示手段とを有することを特徴とするネットワーク接続型テレビ受像機。
【請求項２】
前記リンク情報調整手段は、
前記複数のリンク先ごとのアクセス回数を記憶し、
前記アクセス回数の多い順に、前記リンク先番号を小さな値から大きな値に設定して対応させることを特徴とする請求項１に記載のネットワーク接続型テレビ受像機。
【請求項３】
前記リンク情報調整手段において、
前記アクセス回数は利用者毎に計算され、記憶されることを特徴とする請求項２に記載のネットワーク接続型テレビ受像機。
【請求項４】
前記リンク情報調整手段において、
前記アクセス回数は１日における時間帯毎に計算され、記憶されることを特徴とする請求項２または３に記載のネットワーク接続型テレビ受像機。
【請求項５】
前記リンク情報調整手段は、
Web上のアクセス頻度検索サイトにアクセスして、前記各リンク先のランキング情報を入手し、
前記ランキング情報において上位にあった順に、前記リンク先番号を小さな値から大きな値に設定して対応させることを特徴とする請求項１に記載のネットワーク接続型テレビ受像機。
【請求項６】
前記リンク情報調整手段は、
過去にアクセスした複数のリンク先がアクセス順序に従って配列されたアクセス履歴表を記憶し、該アクセス履歴表の中で現在選択されているリンク先が過去に選択された際の位置に近いリンク先から順に、前記リンク先番号を小さな値から大きな値に設定して対応させることを特徴とする請求項１乃至５のいずれか１項に記載のネットワーク接続型テレビ受像機。
【請求項７】
前記リンク情報調整手段において、
前記アクセス履歴表は利用者毎に作成され、記憶されることを特徴とする請求項６に記載のネットワーク接続型テレビ受像機。
【請求項８】
前記リンク情報調整手段において、
前記アクセス履歴表は１日における時間帯毎に作成され、記憶されることを特徴とする請求項６または７に記載のネットワーク接続型テレビ受像機。
【請求項９】
前記リンク情報調整手段は、
過去にアクセスした複数のリンク先がアクセス順序に従って配列されたアクセス履歴表を記憶し、該アクセス履歴表における各リンク先のURLの文字数の少ない順に、リンク先番号を小さな値から大きな値に設定して対応させることを特徴とする請求項１乃至８のいずれか１項に記載のネットワーク接続型テレビ受像機。
【請求項１０】
前記リンク情報調整手段は、
過去にアクセスした複数のリンク先がアクセス順序に従って配列されたアクセス履歴表を記憶し、該アクセス履歴表における各リンク先のURLが現在選択されているリンク先のURLと従属関係にある場合、従属関係における階層の差の小さな順に、リンク先番号を小さな値から大きな値に設定して対応させることを特徴とする請求項１乃至９のいずれか１項に記載のネットワーク接続型テレビ受像機。
【請求項１１】
前記リンク情報調整手段は、
過去にアクセスした複数のリンク先の名称がアクセス順序に従って配列されたアクセス履歴表が映像表示部に表示され、前記アクセス履歴表の中で現在利用者により選択されているリンク先にカーソルが位置している場合に、前記複数のリンク先の名称と前記カーソルとの画面上の距離が遠い順に、前記リンク先番号を小さな値から大きな値に設定して対応させることを特徴とする請求項１乃至１０のいずれか１項に記載のネットワーク接続型テレビ受像機。
【請求項１２】
前記複数のリンク先の名称および前記リンク先番号が映像表示部に表示された後に、操作部において前記リンク先番号が指定されることにより、前記リンク先にアクセスすることを特徴とする請求項１乃至１１のいずれか１項に記載のネットワーク接続型テレビ受像機。
【請求項１３】
前記表示手段は、
前記リンク情報調整手段が記憶する複数の前記リンク情報におけるリンク先の名称を表示する主ウィンドウと、
前記リンク情報調整手段が記憶する複数の前記リンク情報におけるリンク先の名称と前記リンク先番号とを表示するリンクウィンドウと、
を同時に表示することを特徴とする請求項１乃至１２のいずれか１項に記載のネットワーク接続型テレビ受像機。
【請求項１４】
前記リンクウィンドウ中に表示されるリンク先は、前記主ウィンドウ中に表示されるリンク先に含まれることを特徴とする請求項１３に記載のネットワーク接続型テレビ受像機。
【請求項１５】
前記リンクウィンドウ中に表示されるリンク先は、前記主ウィンドウ中に表示されるリンク先に含まれないことを特徴とする請求項１３に記載のネットワーク接続型テレビ受像機。
【請求項１６】
前記表示手段は、複数の前記リンクウィンドウを同時に表示することを特徴とする請求項１３乃至１５のいずれか１項に記載のネットワーク接続型テレビ受像機。
【請求項１７】
表示画面に表示された複数のリンク先から利用者の選択により接続されるリンク先が指定される場合の前記表示画面における前記複数のリンク先の表示方法であって、
前記リンク先から、リンク先の名称およびURLからなるリンク情報を取得するリンク情報取得工程と、
複数のリンク先から得た複数の前記リンク情報を記憶すると共に、前記各リンク情報に対して前記各リンク先を識別するリンク先番号を前記各リンク先のアクセス履歴に基づき設定し記憶するリンク情報調整工程と、
前記リンク先の名称と前記リンク先番号とを対応させて表示する表示工程とを有することを特徴とするリンク先の表示方法。
【請求項１８】
前記リンク情報調整工程において、
前記複数のリンク先ごとのアクセス回数を記憶し、
前記アクセス回数の多い順に、前記リンク先番号を小さな値から大きな値に設定して対応させることを特徴とする請求項１７に記載のリンク先の表示方法。
【請求項１９】
前記リンク情報調整工程において、
前記アクセス回数は利用者毎に計算され、記憶されることを特徴とする請求項１８に記載のリンク先の表示方法。
【請求項２０】
前記リンク情報調整工程において、
前記アクセス回数は１日における時間帯毎に計算され、記憶されることを特徴とする請求項１８または１９に記載のリンク先の表示方法。
【請求項２１】
前記リンク情報調整工程において、
Web上のアクセス頻度検索サイトにアクセスして、前記各リンク先のランキング情報を入手し、
前記ランキング情報において上位にあった順に、前記リンク先番号を小さな値から大きな値に設定して対応させることを特徴とする請求項１７に記載のリンク先の表示方法。
【請求項２２】
前記リンク情報調整工程において、
過去にアクセスした複数のリンク先がアクセス順序に従って配列されたアクセス履歴表を記憶し、該アクセス履歴表の中で現在選択されているリンク先が過去に選択された際の位置に近いリンク先から順に、前記リンク先番号を小さな値から大きな値に設定して対応させることを特徴とする請求項１７に記載のリンク先の表示方法。
【請求項２３】
前記リンク情報調整工程において、
前記アクセス履歴表は利用者毎に作成され、記憶されることを特徴とする請求項２２に記載のリンク先の表示方法。
【請求項２４】
前記リンク情報調整工程において、
前記アクセス履歴表は１日における時間帯毎に作成され、記憶されることを特徴とする請求項２２または２３に記載のリンク先の表示方法。
【請求項２５】
前記リンク情報調整工程において、
過去にアクセスした複数のリンク先がアクセス順序に従って配列されたアクセス履歴表を記憶し、該アクセス履歴表における各リンク先のURLの文字数の少ない順に、リンク先番号を小さな値から大きな値に設定して対応させることを特徴とする請求項１７乃至２４のいずれか１項に記載のリンク先の表示方法。
【請求項２６】
前記リンク情報調整工程において、
過去にアクセスした複数のリンク先がアクセス順序に従って配列されたアクセス履歴表を記憶し、該アクセス履歴表における各リンク先のURLが現在選択されているリンク先のURLと従属関係にある場合、従属関係における階層の差の小さな順に、リンク先番号を小さな値から大きな値に設定して対応させることを特徴とする請求項１７乃至２５のいずれか１項に記載のリンク先の表示方法。
【請求項２７】
前記リンク情報調整工程において、
過去にアクセスした複数のリンク先の名称がアクセス順序に従って配列されたアクセス履歴表が映像表示部に表示され、前記アクセス履歴表の中で現在利用者により選択されているリンク先にカーソルが位置している場合に、前記複数のリンク先の名称と前記カーソルとの画面上の距離が遠い順に、前記リンク先番号を小さな値から大きな値に設定して対応させることを特徴とする請求項１７乃至２６のいずれか１項に記載のリンク先の表示方法。
【請求項２８】
前記表示工程において、
複数の前記リンク情報におけるリンク先の名称を表示する主ウィンドウと、
複数の前記リンク情報におけるリンク先の名称と前記リンク先番号とを表示するリンクウィンドウと、
を同時に表示することを特徴とする請求項１７乃至２７のいずれか１項に記載のリンク先の表示方法。
【請求項２９】
前記リンクウィンドウ中に表示されるリンク先は、前記主ウィンドウ中に表示されるリンク先に含まれることを特徴とする請求項２８に記載のリンク先の表示方法。
【請求項３０】
前記リンクウィンドウ中に表示されるリンク先は、前記主ウィンドウ中に表示されるリンク先には含まれないことを特徴とする請求項２８に記載のリンク先の表示方法。
【請求項３１】
前記表示工程において、複数の前記リンクウィンドウを同時に表示することを特徴とする請求項１７乃至３０のいずれか１項に記載のリンク先の表示方法。
【発明の詳細な説明】
【技術分野】
【０００１】
本発明は、インターネット等のネットワークに接続することにより得られた画像情報を表示することのできるネットワーク接続型テレビ受像機に関する。また、ネットワークに接続される機器の表示画面において、利用者が複数のリンク先の中から所望のリンク先を選択するための、リンク先の表示方法に関する。
【背景技術】
【０００２】
近年、ネットワーク技術の進歩によって高画質の動画が高効率で配信されるようになり、これらをネットワークを介して入手し、視聴することもできるようになった。このため、単に既存のテレビ放送を視聴するためだけでなく、インターネットに接続して、そのリンク先から入手した動画やWebページの表示も行なうネットワーク（インターネット）接続型テレビ受像機が広く用いられるようになった。従来はこうした映像情報はパソコンで入手し、その表示はパソコンのディスプレイで行われていたのに対して、テレビ受像機のディスプレイ画面はパソコンのディスプレイよりも大きいため、ネットワーク接続型テレビ受像機では高画質でこれらの視聴をすることができた。
【０００３】
パソコンにおいては、利用者はキーボードを操作して各種の操作を行なう。例えば、リンク先（Webサイト）を指定する際には、マウスを操作してカーソルを動かしてメニュー画面を操作し、登録された複数のリンク先（URL：Uniform Resource Locator）の中から所望のものを選択し、所望のWebページを表示させることができる。これに対して、ネットワーク接続型テレビ受像機はパソコンと同様のキーボードやマウスは有さないことが多く、主に利用者の手元にあるリモコン送信機のみで操作される。キーボードのキーの数は全部で１００程度あるのに対して、リモコン送信機は片手で操作できる形態のものが大部分であるため、そのキーの数は２０程度と少ないのが一般的である。このため、利用者がテレビ放送の選局等を行なうには充分であったが、パソコンと比べると、ネットワーク接続関連の操作を行なうことに関しては不便であった。
【０００４】
この際、リンク先は一般にURLで指定できるが、これを番号（リンク先番号）に対応させることにより、利用者が簡便にこの指定をすることができた。このための技術が、例えば特許文献１に記載されている。この技術では、リンク先のURLとリンク先番号を対応させて記憶し、選択される候補となる複数のリンク先名称とリンク先番号とをテレビ受像機画面に表示させる。利用者は、リモコン送信機のキーを操作して、リンク先番号の数字を選択することによりリンク先を指定できた。例えば、リモコン送信機の「１」キーを操作すれば、リンク先番号１に対応するリンク先が指定された。すなわち、テレビ放送の選局と同様にしてリンク先の指定を行うことができ、簡便にこの操作を行なうことができた。
【０００５】
【特許文献１】特開平１０−１１１８５４号公報
【発明の開示】
【発明が解決しようとする課題】
【０００６】
しかしながら、一般に、選局できるテレビの放送局の数は高々１０程度であるのに対して、リンク先の数は利用者が自由に設定でき、一般にはこれよりも大幅に多い。インターネット接続型テレビ受像機はキーボードを有さず、リモコン送信機のキーの数も限られているため、こうした場合には、リンク先番号を指定する方式の場合には、リモコン送信機における多数回のキー操作が必要になる。
【０００７】
このため、従来のネットワーク接続型テレビ受像機において、利用者がリンク先の指定を簡便に行うことはできなかった。
【０００８】
本発明は、斯かる問題点に鑑みてなされたものであり、上記問題点を解決する発明を提供することを目的とする。
【課題を解決するための手段】
【０００９】
本発明は、上記課題を解決すべく、以下に掲げる構成とした。
本発明のネットワーク接続型テレビ受像機は、テレビ放送を受信する機能と、ネットワークを介してリンク先より入手した画像情報を表示する機能とを有するネットワーク接続型テレビ受像機であって、前記リンク先から、リンク先の名称およびURLからなるリンク情報を取得するリンク情報取得手段と、複数のリンク先から得た複数の前記リンク情報を記憶すると共に、前記各リンク情報に対して前記各リンク先を識別するリンク先番号を前記各リンク先のアクセス履歴に基づき設定し記憶するリンク情報調整手段と、前記リンク先番号と前記リンク先の名称とを対応させて表示する表示手段とを有することを特徴とする。
本発明のネットワーク接続型テレビ受像機において、前記リンク情報調整手段は、前記複数のリンク先ごとのアクセス回数を記憶し、前記アクセス回数の多い順に、前記リンク先番号を小さな値から大きな値に設定して対応させることを特徴とする。
本発明のネットワーク接続型テレビ受像機は、前記リンク情報調整手段において、前記アクセス回数は利用者毎に計算され、記憶されることを特徴とする。
本発明のネットワーク接続型テレビ受像機は、前記リンク情報調整手段において、前記アクセス回数は１日における時間帯毎に計算され、記憶されることを特徴とする。
本発明のネットワーク接続型テレビ受像機において、前記リンク情報調整手段は、Web上のアクセス頻度検索サイトにアクセスして、前記各リンク先のランキング情報を入手し、前記ランキング情報において上位にあった順に、前記リンク先番号を小さな値から大きな値に設定して対応させることを特徴とする。
本発明のネットワーク接続型テレビ受像機において、前記リンク情報調整手段は、過去にアクセスした複数のリンク先がアクセス順序に従って配列されたアクセス履歴表を記憶し、該アクセス履歴表の中で現在選択されているリンク先が過去に選択された際の位置に近いリンク先から順に、前記リンク先番号を小さな値から大きな値に設定して対応させることを特徴とする。
本発明のネットワーク接続型テレビ受像機は、前記リンク情報調整手段において、前記アクセス履歴表は利用者毎に作成され、記憶されることを特徴とする。
本発明のネットワーク接続型テレビ受像機は、前記リンク情報調整手段において、前記アクセス履歴表は１日における時間帯毎に作成され、記憶されることを特徴とする。
本発明のネットワーク接続型テレビ受像機において、前記リンク情報調整手段は、過去にアクセスした複数のリンク先がアクセス順序に従って配列されたアクセス履歴表を記憶し、該アクセス履歴表における各リンク先のURLの文字数の少ない順に、リンク先番号を小さな値から大きな値に設定して対応させることを特徴とする。
本発明のネットワーク接続型テレビ受像機において、前記リンク情報調整手段は、過去にアクセスした複数のリンク先がアクセス順序に従って配列されたアクセス履歴表を記憶し、該アクセス履歴表における各リンク先のURLが現在選択されているリンク先のURLと従属関係にある場合、従属関係における階層の差の小さな順に、リンク先番号を小さな値から大きな値に設定して対応させることを特徴とする。
本発明のネットワーク接続型テレビ受像機において、前記リンク情報調整手段は、過去にアクセスした複数のリンク先の名称がアクセス順序に従って配列されたアクセス履歴表が映像表示部に表示され、前記アクセス履歴表の中で現在利用者により選択されているリンク先にカーソルが位置している場合に、前記複数のリンク先の名称と前記カーソルとの画面上の距離が遠い順に、前記リンク先番号を小さな値から大きな値に設定して対応させることを特徴とする。
本発明のネットワーク接続型テレビ受像機において、前記複数のリンク先の名称および前記リンク先番号が映像表示部に表示された後に、操作部において前記リンク先番号が指定されることにより、前記リンク先にアクセスすることを特徴とする。
本発明のネットワーク接続型テレビ受像機において、前記表示手段は、前記リンク情報調整手段が記憶する複数の前記リンク情報におけるリンク先の名称を表示する主ウィンドウと、前記リンク情報調整手段が記憶する複数の前記リンク情報におけるリンク先の名称と前記リンク先番号とを表示するリンクウィンドウと、を同時に表示することを特徴とする。
本発明のネットワーク接続型テレビ受像機において、前記リンクウィンドウ中に表示されるリンク先は、前記主ウィンドウ中に表示されるリンク先に含まれることを特徴とする。
本発明のネットワーク接続型テレビ受像機において、前記リンクウィンドウ中に表示されるリンク先は、前記主ウィンドウ中に表示されるリンク先に含まれないことを特徴とする。
本発明のネットワーク接続型テレビ受像機において、前記表示手段は、複数の前記リンクウィンドウを同時に表示することを特徴とする。
本発明のリンク先の表示方法は、表示画面に表示された複数のリンク先から利用者の選択により接続されるリンク先が指定される場合の前記表示画面における前記複数のリンク先の表示方法であって、前記リンク先から、リンク先の名称およびURLからなるリンク情報を取得するリンク情報取得工程と、複数のリンク先から得た複数の前記リンク情報を記憶すると共に、前記各リンク情報に対して前記各リンク先を識別するリンク先番号を前記各リンク先のアクセス履歴に基づき設定し記憶するリンク情報調整工程と、前記リンク先の名称と前記リンク先番号とを対応させて表示する表示工程とを有することを特徴とする。
本発明のリンク先の表示方法は、前記リンク情報調整工程において、前記複数のリンク先ごとのアクセス回数を記憶し、前記アクセス回数の多い順に、前記リンク先番号を小さな値から大きな値に設定して対応させることを特徴とする。
本発明のリンク先の表示方法は、前記リンク情報調整工程において、前記アクセス回数は利用者毎に計算され、記憶されることを特徴とする。
本発明のリンク先の表示方法は、前記リンク情報調整工程において、前記アクセス回数は１日における時間帯毎に計算され、記憶されることを特徴とする。
本発明のリンク先の表示方法は、前記リンク情報調整工程において、Web上のアクセス頻度検索サイトにアクセスして、前記各リンク先のランキング情報を入手し、前記ランキング情報において上位にあった順に、前記リンク先番号を小さな値から大きな値に設定して対応させることを特徴とする。
本発明のリンク先の表示方法は、前記リンク情報調整工程において、過去にアクセスした複数のリンク先がアクセス順序に従って配列されたアクセス履歴表を記憶し、該アクセス履歴表の中で現在選択されているリンク先が過去に選択された際の位置に近いリンク先から順に、前記リンク先番号を小さな値から大きな値に設定して対応させることを特徴とする。
本発明のリンク先の表示方法は、前記リンク情報調整工程において、前記アクセス履歴表は利用者毎に作成され、記憶されることを特徴とする。
本発明のリンク先の表示方法は、前記リンク情報調整工程において、前記アクセス履歴表は１日における時間帯毎に作成され、記憶されることを特徴とする。
本発明のリンク先の表示方法は、前記リンク情報調整工程において、過去にアクセスした複数のリンク先がアクセス順序に従って配列されたアクセス履歴表を記憶し、該アクセス履歴表における各リンク先のURLの文字数の少ない順に、リンク先番号を小さな値から大きな値に設定して対応させることを特徴とする。
本発明のリンク先の表示方法は、前記リンク情報調整工程において、過去にアクセスした複数のリンク先がアクセス順序に従って配列されたアクセス履歴表を記憶し、該アクセス履歴表における各リンク先のURLが現在選択されているリンク先のURLと従属関係にある場合、従属関係における階層の差の小さな順に、リンク先番号を小さな値から大きな値に設定して対応させることを特徴とする。
本発明のリンク先の表示方法は、前記リンク情報調整工程において、過去にアクセスした複数のリンク先の名称がアクセス順序に従って配列されたアクセス履歴表が映像表示部に表示され、前記アクセス履歴表の中で現在利用者により選択されているリンク先にカーソルが位置している場合に、前記複数のリンク先の名称と前記カーソルとの画面上の距離が遠い順に、前記リンク先番号を小さな値から大きな値に設定して対応させることを特徴とする。
本発明のリンク先の表示方法は、前記表示工程において、複数の前記リンク情報におけるリンク先の名称を表示する主ウィンドウと、複数の前記リンク情報におけるリンク先の名称と前記リンク先番号とを表示するリンクウィンドウと、を同時に表示することを特徴とする。
本発明のリンク先の表示方法において、前記リンクウィンドウ中に表示されるリンク先は、前記主ウィンドウ中に表示されるリンク先に含まれることを特徴とする。
本発明のリンク先の表示方法において、前記リンクウィンドウ中に表示されるリンク先は、前記主ウィンドウ中に表示されるリンク先には含まれないことを特徴とする。
本発明のリンク先の表示方法において、前記リンクウィンドウ中に表示されるリンク先は、前記主ウィンドウ中に表示されるリンク先には含まれないことを特徴とする。
本発明のリンク先の表示方法は、前記表示工程において、複数の前記リンクウィンドウを同時に表示することを特徴とする。
【発明の効果】
【００１０】
本発明は以上のように構成されているので、利用者がリンク先の指定を簡便に行うことができるネットワーク接続型テレビ受像機を提供できる。
【発明を実施するための最良の形態】
【００１１】
以下、本発明を実施するための最良の形態について説明する。
【００１２】
（第１の実施の形態）
図１は、本発明の第１の実施の形態に係るネットワーク接続型テレビ受像機１の構成図である。このネットワーク接続型テレビ受像機１は、本体２と操作部３から構成される。操作部３は例えばリモコン送信機であり、遠隔操作により本体２の各構成要素を制御する。本体２は、ネットワーク接続手段４、リンク情報取得手段５、リンク情報調整手段６、表示手段７、および制御部８からなる。なお、このネットワーク接続型テレビ受像機１はテレビ放送の受信も行うため、他に受信回路や選局部等も有し、表示手段７にテレビ放送の映像も表示するが、これらは一般のテレビ受像機と同様であり、本願発明とは直接関係がないため、説明は省略する。
【００１３】
このネットワーク接続型テレビ受像機１は、ネットワーク接続手段４によってネットワーク回線、例えばインターネット回線に接続され、この回線を通じて所望のWebサイト（リンク先）からHTML文書を入手する。
【００１４】
リンク情報取得手段５は、タグ解析部５１とリンク情報取得部５２とからなり、リンク情報取得工程を行なう。タグ解析部５１は、このHTML文書からリンク情報（リンク先の名称、リンク先のURL等の識別情報）と表示データを分離して取得し、リンク情報をリンク情報取得部５２に出力し、表示データは表示手段７に直接出力する。
【００１５】
リンク情報調整手段６は、リンク情報解析部６１、頻度表記憶部６２、およびOSD表示位置計算部６３からなり、リンク情報調整工程を行なう。リンク情報解析部６１は、過去に選択された複数のリンク先のリンク情報を記憶し、複数のリンク情報に対してリンク先番号を設定して記憶すると共に、各リンク情報に対して各リンク先を識別するリンク先番号を各リンク先のアクセス履歴に基づき設定し記憶する。このリンク先番号は、リンク先の指定が利用者にとって簡便になるべく設定される。特に第１の実施の形態に係るネットワーク接続型テレビ受像機１では、頻度表記憶部６２が各リンク先の過去のアクセス頻度を記憶しており、リンク情報解析部６１は、このデータに基づいて、各リンク先のリンク先番号を設定して記憶する。次に、各リンク先の名称と各リンク先番号はOSD（On Screen Display）表示位置計算部６３に出力される。ここで、これらの情報を画面に表示するための位置計算が行われる。
【００１６】
表示手段７は、OSD表示発生回路７１と映像表示部７２とからなり、表示工程を行なう。映像表示部７２は、例えば液晶ディスプレイである。OSD表示発生回路７１は、リンク先名称とリンク先番号とを映像表示部７２に表示させるための信号を作成する。具体的には、このネットワーク接続型テレビ受像機１が本来表示する画面（テレビ番組画面やWebページ等の表示データ）の表示信号に、リンク先番号とリンク先名称をそれぞれの表示位置に表示させる映像信号を重畳させるための信号を作成する。映像表示部７２は、Webページの映像やテレビ放送映像を表示するが、これにより、リンク先名称およびリンク先番号もこれらの映像と同時に、あるいは別途に画面に表示される。
【００１７】
制御部８は、操作部３から例えば赤外線を用いた遠隔操作の信号を受信し、本体２における上記の各構成要素を制御する。利用者は操作部３のキー操作により、このネットワーク接続型テレビ受像機１の制御を行なう。例えば「１」のキー操作によりリンク先番号が１のリンク先が選択され、該当するWebページの画像が映像表示部７２に表示される。また、ネットワーク関連の操作とテレビ放送を受信する際の操作を切り替えて行うことができ、後者の場合には例えば「１」のキー操作により１チャンネルに対応した放送が選局される。
【００１８】
このネットワーク接続型テレビ受像機１においては、映像表示部７２が表示するリンク先名称とリンク先番号とが、利用者にとってその操作が簡便となるべく調整されている。これは主にリンク情報調整手段４によってなされる。以下、このための動作について、詳細に説明する。
【００１９】
リンク情報調整手段６は、複数のリンク先情報を記憶している。ここに記憶するリンク先情報は、過去にこのネットワーク接続型テレビ受像機１が接続されたすべてについてでもよいし、その中から利用者が選択することもできる。また、例えば長期間指定されなかったリンク先については自動的に消去される設定としてもよい。
【００２０】
リンク情報調整手段６においては、利用者の操作によってリンク先が設定され、リンク情報が入るたびに、リンク情報解析部６１が、記憶した各リンク先とリンク先番号との再設定を行なう。この際には、頻度表記憶部６２に記憶された頻度表を参照する。頻度表とは、頻度、すなわち、このネットワーク接続型テレビ受像機１において、初期状態から各リンク先にアクセスされた累積回数を記憶したデータである。従って、リンク先が指定されるたびに、そのリンク先の頻度は１だけ増加する。リンク情報解析部６１は、頻度の多い順に、リンク先番号を小さな値から大きな値に設定して対応させる。すなわち、最も頻度の多かったリンク先にリンク先番号１を設定し、次に多かったリンク先に２を設定し、以降も同様とする。なお、利用者の操作により、頻度を零にリセットさせることができる設定としてもよい。
【００２１】
これにより複数のリンク先名称とリンク先番号とが対応して映像表示部７２に表示される。この表示例が図２である。ここで、各欄が各リンク先の名称に対応している。リンク先の名称が、過去にアクセスされた順番に従って、図中の矢印に従って配列されている。一番上の欄は、現在選択されているリンク先に該当する。便宜上前記の頻度が記載されているが、実際には頻度は表示させる必要はなく、必要なのは、リンク先名称とリンク先番号である。この例では、頻度が１２５と一番高いリンク先のリンク先番号が１に設定され、頻度が１０５と２番目に高いリンク先のリンク先番号が２に設定される。現在指定され、新たに入ったリンク情報の頻度は３０となり、その順位は２６位であるため、対応するリンク先番号は２６となる。こうして、利用者がリンク先を指定して、新たなリンク情報が入るたびに、頻度表が更新され、リンク先とリンク先番号との対応が見直される。
【００２２】
利用者は、この画面を見て、リンク先番号を選択することによりリンク先を指定することができる。この際に、操作部３のキー操作により、テレビ放送におけるチャンネル選局と同様にしてこれを行うことができる。例えば、「１」のキーが操作された場合にはリンク先番号が１のリンク先が指定される。この場合、利用者は１回のキー操作でこのリンク先を指定することができる。一般にリモコン送信機の選局キーは１〜１２となっている場合が多く、アクセス頻度が高いリンク先はリンク先番号が１２より小さくなっているため、選局キーの１回の操作でリンク先を指定できる。なお、従来のインターネット接続型テレビ受像機と同様に、カーソルを十字キーの上下左右や、上下左右の４種類の矢印キーを適宜操作して図２における所望のリンク先にカーソルを移動させ、これを選択させることもできる。
【００２３】
また、図２とは異なる表示方法を用いることもできる。この例を図３に示す。図３（ａ）はこれにより、リンク先番号が１〜１２のリンク先名称が上から順に表示されており、リンク先番号はリンク先名称（「Ｓ社ＨＰ」等）の後に括弧で表示されている。先頭の番号はリンク先表示番号であり、この画面で表示されている順番を示しているが、この場合にはリンク先番号と同一である。
【００２４】
図３の例では、例えば、リンク先番号の小さなものから上から順に１２個表示させている。この場合、この１２個のリンク先番号（１〜１２）、各リンク先名称、および各表示位置がOSD表示発生回路７１に出力される。なお、スクロールさせることによりこれ以降のリンク先を表示させる設定とすることができる。この場合、操作部３からスクロール信号が発せられると、制御部８はこれを受信し、リンク情報解析部６に、リンク先番号が１３〜２４のリンク先番号、各リンク先名称、各表示位置をOSD表示発生回路７１に出力させる。同様に、再度のスクロール信号が発せられた場合には２５〜３６の情報を出力させ、以降も同様である。
【００２５】
リンク先番号が１３以降のリンク先を指定したい場合には、操作部３は利用者のキー操作によりスクロール信号を発する。これにより、図３（ｂ）の画面となる。ここで表示されるのはリンク先番号が１３〜２４のリンク先であるが、該当するリンク先表示番号はこれらに対して新たに１〜１２となる。ここで、「１」のキーが操作された場合にはリンク先番号が１３である「○○店」が選択される。この場合、利用者はスクロールと番号選択という２回のキー操作でこのリンク先を指定することができる。これ以降のリンク先番号のリンク先も、同様にスクロールを行い、同様に選択できる。
【００２６】
図２の表示では、同一画面により多くのリンク先が表示されるため、画面をスクロールさせる必要がないが、画面に表示される情報量が多すぎてわかりにくい場合がある。一方、図３の表示では、一度に表示される情報量はキーの数に相当する１２個であるため、選択が容易であるが、リンク先番号の大きな（アクセス頻度の小さな）リンク先を指定するためには画面のスクロールが必要となる。このため、図２と図３のどちらの形態でリンク先情報を表示させるかを利用者が操作部７のキー操作によって選択できることが好ましい。このためには、例えば「表示Ａ」、「表示Ｂ」と表示されたキーを設け、「表示Ａ」が操作された場合には図２の表示がされ、「表示Ｂ」が操作された場合には図３の表示がなされる設定とすることができる。
【００２７】
このネットワーク接続型テレビ受像機においては、アクセス頻度の高いリンク先には小さなリンク先番号が設定されるため、特にこれらのリンク先の指定を容易に行うことが可能である。従って、利用者は簡便にリンク先の指定を行うことが可能である。
【００２８】
なお、頻度表記憶部６２に記憶された頻度表として、各種の頻度表を設定することが可能である。
【００２９】
例えば、このネットワーク接続型テレビ受像機の利用者が複数である場合、利用者はこれを利用する度に自己のログイン名を入力してからこれを利用できる設定とすることができる。この場合、各利用者（ログイン名）毎に計算されたアクセス回数を用いて頻度表を作成、記憶することができ、各利用者がログインしている間はこの頻度表が参照される設定とすることが好ましい。この場合、各利用者毎に最適なリンク先の表示がなされる。
【００３０】
また、１日のうちで複数の時間帯を設定し、各時間帯毎に上記の頻度表を設定することもできる。例えば、時間帯を朝（ＡＭ５：００〜ＡＭ１０：００）、昼（ＡＭ１０：００〜ＰＭ５：００）、夜（ＰＭ５：００〜ＡＭ５：００）の３種類とし、各時間帯毎に計算されたアクセス回数を用いて頻度表を作成、記憶してもよい。この場合、各時間帯においては、各時間帯の頻度表が参照される設定とすることが好ましい。これにより、例えば、利用者がこのネットワーク接続型テレビ受像機１を昼間は業務用に用い、夜間は私用に用いる場合、各時間帯毎に最適なリンク先の表示がなされる。
【００３１】
（第２の実施の形態）
表示すべきリンク先情報の表示の順番は、前記の例以外の方法で決め、表示させることもできる。第２の実施の形態に係るネットワーク接続型テレビ受像機も図１の構成とすることができ、異なるのはリンク情報取得手段５、リンク情報調整手段６の動作である。ここでは、頻度表（頻度表記億部６２）は使用しない。
【００３２】
この実施の形態におけるリンク先の表示方法においては、アクセス履歴に関する情報として、アクセス頻度検索サイト（例えばページランク）にアクセスすることにより、ランク上位のものからリンク先番号を割り付ける。すなわち、前記のアクセス頻度として、このネットワーク接続型テレビ受像機だけからのものではなく、より一般的なものとしている。この場合、リンク情報調整手段６は、アクセス頻度検索サイトにアクセスする要求を制御部８に出力する。その後、制御部８はこのサイトに接続する指令をネットワーク接続手段手段５に出し、ここから得たHTMLデータから第１の実施の形態の場合と同様にして、各リンク先のアクセス頻度ランキングのデータを取得する。これにより、第１の実施の形態で用いた頻度表の代わりに、このランキングに応じて各リンク先のリンク先番号が設定される。以降の動作は、第１の実施の形態と同様である。この場合に表示される複数のリンク先名称とリンク先番号の表示例が図４である。アクセス頻度検索サイトで得られるPageRankは例えば１０段階でランキング付けされ、１０が最もアクセス頻度が高い。このため、PageRank１０のリンク先にリンク先番号１が、PageRank９のリンク先にリンク先番号２、等が設定されて記憶される。
【００３３】
また、これらの設定を利用者に適宜選択させる設定とすることも可能である。この設定は、操作部３のキー操作によってもよいし、このネットワーク接続型テレビ受像機本体の切替スイッチによって行ってもよい。この場合のリンク情報取得手段５、リンク情報調整手段６、表示手段７の動作（リンク情報調整工程および表示工程）を示すフローチャート図が図５である。タグ解析（Ｓ２）、リンク情報取得（Ｓ３）、OSD表示位置計算（Ｓ４）、OSD作成（Ｓ５）、表示（Ｓ６）の各工程は第１の実施の形態で説明したように、リンク情報取得手段５、リンク情報調整手段６、表示手段７によって行われる。ただし、この場合には、アクセス頻度検索サイト（PageRank）を使用するか否か（Ｓ１０）によって、リンク情報調整手段４が、直接頻度表を参照する（Ｓ１１）か、アクセス頻度検索サイトからPageRank（ランキング情報）を取得する（Ｓ２１）かに分かれる。前者の場合には第１の実施の形態の動作を行なう。後者の場合には、PageRankに基づき、リンク先番号の割付（Ｓ２２）とリンク先情報とリンク先番号を保存（Ｓ２３）し、OSD表示位置計算（Ｓ４）以降の工程が行われる。
【００３４】
第１の実施の形態では、リンク先が設定される度に頻度表が書き替えられ、この頻度表が参照される。これに対して、第２の実施の形態におけるランキング情報は、同様にリンク先が設定される度に取得してもよいが、必ずしも毎回行なう必要はなく、例えば１回／１日等の設定としたり、電源オンと同時に取得する設定とすることもできる。
【００３５】
こうしたアクセス頻度検索サイトを用いてリンク先番号を設定する方法を用いても、アクセス頻度の高いリンク先には小さなリンク先番号が設定されるため、利用者は簡便にリンク先を指定することができる。
【００３６】
（第３の実施の形態）
第１および第２の実施の形態では、アクセス頻度に着目することにより、リンク情報調整手段がリンク先番号を設定する構成としたが、利用者の便宜のためには、他の観点からリンク先番号を設定することもできる。第３の実施の形態に係るネットワーク接続型テレビ受像機では、アクセス履歴に関する情報として、現在アクセスされているリンク先が過去にアクセスされた際の前後のアクセス状況に応じてリンク先番号を設定する。
【００３７】
図２と同様の表示内容に対してこの表示方法を適用した例が図６である。図６は、図２と同様に、矢印に従って過去にアクセスされた順番に従ってリンク先の名称が配列されているアクセス履歴表となっている。ここで、斜線でハッチングされた欄（リンク先）が現在カーソルのある欄（現在選択されているリンク先）となっている。利用者が各リンク先をアクセスする順番は、過去の履歴と同様である可能性が高い。あるいは、利用者がリンク先を再度見直す場合もあるため、過去の履歴と逆の順番でアクセスする可能性も高い。すなわち、現在選択されているリンク先の次に選択される可能性が高いのは、このアクセス履歴表における現在のリンク先の隣（前後）にあるリンク先であると考えることもできる。ここでは、これらの事情を考慮して、現在選択されているリンク先が過去に選択された直後に選択されたリンク先のリンク先番号を１とし、直前に選択されたリンク先のリンク先番号を２とする。同様に過去に２段階後に選択されたリンク先のリンク先番号を３とし、２段階前に選択されたリンク先のリンク先番号を４とする。以降も同様にして５以降が設定される。このように、本実施の形態では、アクセス履歴表の中で現在選択されているリンク先が過去に選択された際の位置に近いリンク先から順に、リンク先番号を小さな値から大きな値に設定して対応させる。
【００３８】
こうした設定とすることにより、利用者が次に選択する可能性が高いリンク先に小さなリンク先番号が設定される。これにより、利用者は簡便にリンク先を選択することができる。
【００３９】
前記の例では、直後に選択されたリンク先に対して１を設定し、直前に選択されたリンク先を２としたが、これに限られるものではなく、自由に設定することができる。例えば、直後に選択されたリンク先を１、その次に選択されたリンク先を２、その次を３等としてもよい。また、前に選択されたリンク先は考慮せず、直後に選択されたリンク先を１、２段階後に選択されたリンク先を２、３段階後に選択されたリンク先を３とする等の設定が可能である。
【００４０】
また、この表示方法を第１の実施の形態における表示方法、または第２の実施における表示方法と併用することも可能である。例えば、直後に選択されたリンク先と直後に選択されたリンク先のうち、アクセス頻度の高いリンク先、またはPageRankの高いリンク先にリンク先番号１を設定し、以降も同様とすることができる。
【００４１】
なお、前記のアクセス履歴表として、各種のものを適宜設定することも可能である。
【００４２】
例えば、このネットワーク接続型テレビ受像機の利用者が複数である場合、利用者はこれを利用する度に自己のログイン名を入力してからこれを利用できる設定とすることができる。この場合、各利用者（ログイン名）毎にこのアクセス履歴表を作成、記憶することができ、各利用者がログインしている間はこのアクセス履歴表が参照される設定とすることが好ましい。この場合、各利用者毎に最適なリンク先の表示がなされる。
【００４３】
また、１日のうちで複数の時間帯を設定し、各時間帯毎に上記のアクセス履歴表を設定することもできる。例えば、時間帯を朝（ＡＭ５：００〜ＡＭ１０：００）、昼（ＡＭ１０：００〜ＰＭ６：００）、夜（ＰＭ６：００〜ＡＭ５：００）の３種類とし、各時間帯でアクセス履歴表を作成、記憶してもよい。この場合、各時間帯においては、各時間帯のアクセス履歴表が参照される設定とすることが好ましい。この場合、各時間帯毎に最適なリンク先の表示がなされる。
【００４４】
（第４の実施の形態）
第４の実施の形態に係るネットワーク接続型テレビ受像機においては、過去のアクセス履歴において、選択された各リンク先のURLの文字数に基づき、リンク先番号が設定される。ここでは、複数のリンク先の名称が表示されており、各リンク先のURLの文字数の少ない順に、リンク先番号を小さな値から大きな値に設定して対応させる。
【００４５】
一般に、URLの文字数は少ない方が、各Webサイトのホームページ、すなわちあるWebコンテンツのトップページに該当する可能性が高い。従って、これらのホームページに小さなリンク先番号を設定すれば、利用者がこれらを特に選択しやすくなる。この表示方法を適用した例が図７である。ここで、簡略化のためにリンク先は１列にしてその数を少なく表示しているが、図２等と同様のアクセス履歴表となっている。また、説明のためにリンク先のURLが表示されているが、実際にはURLが表示される必要はなく、リンク先名称が表示されることが利用者の識別のためには好ましい。
【００４６】
これにより、利用者は、過去のアクセス履歴の中から特にこのトップページを選択することが容易にできる。従って、簡便にリンク先の指定を行うことができる。
【００４７】
また、この表示方法においても、第１〜第３の実施の形態における表示方法を併用することができる。例えば、同じ文字数のURLをもつ複数のリンク先に対しては、アクセス頻度の高いリンク先、PageRankの高いリンク先、またはアクセス履歴表において近い位置にあるリンク先に対して、小さなリンク先番号を設定することができる。
【００４８】
（第５の実施の形態）
第５の実施の形態に係るネットワーク接続型テレビ受像機においては、過去のアクセス履歴において、各リンク先のURLが現在選択されているリンク先のURLと従属関係にある場合、従属関係における階層の差の小さな順に、リンク先番号を小さな値から大きな値に設定して対応させる。
【００４９】
一般に、あるリンク先（ホームページ）が選択されている場合、利用者はその下位の階層にあるURLを次に選択する場合が多い。この場合、現在表示されているホームページ内でカーソルを移動させ、クリックすることにより下位の階層のURLが選択される設定とされている場合が多い。そこで、第５の実施の形態においては、特にこの点に着目して、利用者が下位の階層のリンク先を選択しやすい設定とした。
【００５０】
この表示方法を適用した例が図８である。ここで、簡略化のためにリンク先は１列にしてその数を少なく表示しているが、図２等と同様のアクセス履歴表となっている。また、各URLは例示である。この例では、現在選択されているリンク先のURLが”http://abc.co.jp”である場合に、これと従属関係（下位）にある、URLが”http://abc.co.jp/news/”であるリンク先にリンク先番号１を設定し、さらにその下位にある、URLが”http://abc.co.jp/news/0610/”であるリンク先にリンク先番号２を設定し、以下も同様とする。ただし、同一階層にあるリンク先が多数存在する場合もあるが、この場合には第３の実施の形態と同様に、アクセス履歴表の中で現在選択されているリンク先に近い順に、リンク先番号を小さな値から大きな値に設定して対応させることができる。すなわち、図８において、”http://abc.co.jp/news/0610/0001/”と”http://abc.co.jp/news/0610/0002/”は同一の階層であるが、後者の方が現在選択されているリンク先である”http://abc.co.jp”に近い位置にある。従って、後者に３を設定し、前者に４を設定する。なお、仮にこの後にリンク先番号１（”http://abc.co.jp/news/”）が設定された場合には、その後の画面では、”http://abc.co.jp/news/0610/”に新たにリンク先番号１が設定される。
【００５１】
これにより、利用者によって次に選択される可能性の高いリンク先に優先的に小さなリンク先番号が設定される。従って、利用者は簡便にリンク先の指定を行うことができる。
【００５２】
この表示方法においても、第１〜第４の実施の形態における表示方法を併用することができる。第３の実施の形態を併用する前記の場合の他、例えば、同じ階層にある複数のリンク先に対しては、アクセス頻度の高いリンク先、PageRankの高いリンク先、または文字数の少ないURLをもつリンク先に対して、小さなリンク先番号を設定することができる。
【００５３】
（第６の実施の形態）
第６の実施の形態に係るネットワーク接続型テレビ受像機においては、映像表示部７２の表示画面（アクセス履歴表）上におけるカーソルの位置に応じてリンク先番号が設定される。ここでは、映像表示部７２において複数のリンク先の名称が表示されており、これらのリンク先のうち利用者により選択されたリンク先にカーソルが位置している場合に、このカーソルと各リンク先の名称との画面上の距離が遠い順に、リンク先番号を小さな値から大きな値に設定する。
【００５４】
一般に、パソコンではマウスの操作により利用者はカーソルを画面上の所望の位置に移動させることが可能であるが、ネットワーク接続型テレビ受信機はマウスを有さないことが多い。このため、リモコン送信機に設けられた十字キーの上下左右を押すか、上下左右の４種類の矢印キーを操作することによりカーソルを移動させる。例えばこの際、カーソルは一コマ単位で移動する設定とされており、１回の矢印キーの操作またはある時間だけ操作キーが押されることによって一コマだけカーソルが移動する設定とされる場合が多い。この際、画面上のカーソルの移動距離が小さな場合は少ない操作回数、あるいは短い操作時間でこれを移動させることができるが、移動距離が大きな場合は多くの操作回数、または長い操作時間が必要になる。第６の実施の形態に係るネットワーク接続型テレビ受像機では特にこの点を改善することにより、利用者が簡便にリンク先を指定できる表示方法を用いている。このため、現在のカーソルの位置（現在選択されているリンク先）と各リンク先の名称との画面上の距離が遠い順に、リンク先番号を小さな値から大きな値に設定する。カーソルの位置と各リンク先の名称との画面上の距離は、OSD表示位置計算部６３によってなされる。
【００５５】
図２と同様の表示内容に対してこの表示方法を適用した例が図９である。図９は、図２と同様に、矢印に従って過去にアクセスされた順番に従ってリンク先の名称が配列されているアクセス履歴表となっている。ここで、斜線でハッチングされた欄（リンク先）が現在カーソルのある欄（現在選択されているリンク先）となっている。この表において、現在選択されているリンク先から遠い順に１以降のリンク先番号が設定されている。これにより、カーソルの移動距離の長い場合に優先的に小さなリンク先番号が設定される。従って、カーソルの移動距離の長い場合には操作部３のキー操作でリンク先番号を指定すればよく、利用者は１回のキー操作でこれを行うことができる。一方、カーソルの移動距離が短い場合には大きなリンク先番号が設定されるため、１回のキー操作でこれを指定することができないが、この場合にはカーソルを十字キーまたは矢印キーを用いて移動させればよい。
【００５６】
このように、第６の実施の形態に係るネットワーク接続型テレビ受像機では、指定する際の操作に時間のかかるリンク先に小さなリンク先番号を設定する。これにより、利用者は、どのリンク先を指定するに際しても少ない操作時間でこれを行うことができる。従って、簡便にリンク先の指定を行うことができる。
【００５７】
この表示方法においても、第１〜第５の実施の形態における表示方法を併用することができる。例えば、カーソルから同じ距離にある複数のリンク先に対しては、アクセス頻度の高いリンク先、PageRankの高いリンク先、アクセス履歴表において近い位置にあるリンク先、文字数の少ないURLをもつリンク先、または従属関係における階層の差の小さなリンク先、に対して小さなリンク先番号を設定することができる。
【００５８】
（第７の実施の形態）
第７の実施の形態に係るネットワーク接続型テレビ受像機においては、映像表示部に主ウィンドウとリンクウィンドウとを同時に表示させ、どちらにも複数のリンク先の名称を表示する。特に、リンクウィンドウにおいて表示させるリンク先の表示方法として、第１〜６の実施の形態における場合と同様の方法を用いる。すなわち、特にリンクウィンドウに表示されたリンク先の選択が容易であるようにリンク先番号が設定される。
【００５９】
ここで、主ウィンドウには、第１〜６の実施の形態と同様に、各リンク先の名称が表示される。ただし、主ウィンドウにおいては、リンク先番号は表示されない。ここで表示されるリンク先の数は、例えば２０個とすることができる。ここで表示するリンク先は、例えば第１の実施の形態と同様に、アクセス頻度の１〜２０位のものを選定することができる。
【００６０】
リンクウィンドウには、主ウィンドウに表示されたリンク先の一部のリンク先の名称がリンク先番号と共に表示される。リンクウィンドウで表示されるリンク先は、例えば、第１の実施の形態と同様に、アクセス頻度を元に、主ウィンドウに表示された中から選択される。リンクウィンドウに表示させるリンク先の数は主ウィンドウで表示させる数よりも少ないことが好ましく、例えばその数は７個とすることができる。この場合、主ウィンドウに表示された中からアクセス頻度の高い順に７個のリンク先が表示され、第１の実施の形態と同様に、各リンク先には１〜７のリンク先番号が付与され、リンクウィンドウ中で表示される。この場合に表示部において表示される画像の例が図１０である。
【００６１】
図１１は、本発明の第７の実施の形態に係るネットワーク接続型テレビ受像機１０１の構成図であり、図１２はその動作を示すフローチャート図である。このネットワーク接続型テレビ受像機１０１は、本体１０２と操作部３から構成される。操作部３は第１の実施の形態におけるものと同様であり、例えばリモコン送信機である。本体１０２は、ネットワーク接続手段４、リンク情報取得手段５、リンク情報調整手段１０６、表示手段１０７、および制御部８からなる。なお、このネットワーク接続型テレビ受像機１０１はテレビ放送の受信も行うが、これらは一般のテレビ受像機と同様であるため、説明は省略する。
【００６２】
このネットワーク接続型テレビ受像機１０１における、ネットワーク接続手段４、リンク情報取得手段５は第１の実施の形態（テレビジョン受像機１）におけるものと同様である。従って、リンク情報取得手段５においては、タグ解析部５１がタグ解析（Ｓ１０２）を行い、リンク情報取得部５２がリンク情報取得（Ｓ１０３）を行う点も同様である。
【００６３】
リンク情報調整手段１０６は、リンク情報解析部１６１、頻度表記憶部６２、およびリンクウィンドウ表示位置計算部１６３とからなり、リンク情報調整工程を行なう。この場合のリンク情報調整工程では、まず、主ウィンドウにおいて表示させるリンク先の選定と、その中から特にリンクウィンドウに表示させるリンク先の選定を行う。また、リンクウィンドウに表示させるリンク先に対しては、そのリンク先番号を設定する。この選定の基準としてアクセス頻度が用いられる場合（Ｓ１１０）には、制御部８は、リンク情報解析部１６１に頻度表記億部６２から頻度表を読み出させて、アクセス頻度情報を取得し（Ｓ１２１）、これに基づいて主ウィンドウに表示する２０個のリンク先を選定する。すなわち、アクセス頻度の高い順に２０個のリンク先を選定する。さらにこのうちでアクセス頻度の高い７個のリンク先をリンクウィンドウに表示させるために選定し、この７個のリンク先に対してリンク先番号１〜７を設定し（Ｓ１２２）、この対応関係を保存する（Ｓ１２３）。
【００６４】
次に、各リンク先の名称と各リンク先番号はリンクウィンドウ表示位置計算部１６３に出力される。ここで、これらの情報をリンクウィンドウに表示するための位置計算が行われる（Ｓ１２４）。すなわち、例えばリンクウィンドウでの表示を図１０の通りにするべく、表示されるリンク先番号及びリンク先の名称、及びリンクウィンドウの表示位置を計算する。なお、図１１、１２では省略されているが、第１の実施の形態と同様に、主ウィンドウにおける各リンク先の名称の表示位置も計算される。
【００６５】
表示部１０７におけるリンクウィンドウ作成部１７１は、これに基づいて、リンクウィンドウの画像情報を生成する（Ｓ１２５）。また、同様に、主ウィンドウの画像情報も生成する（Ｓ１２６）。
【００６６】
生成されたリンクウィンドウ及び主ウィンドウの画像情報は合成されて映像表示部７２に出力され、図１０に示す画像が表示される（Ｓ１２７）。
【００６７】
リンク先番号を設定する際の手法としてアクセス頻度以外のデータを用いることも可能である（Ｓ１１０）。その場合はそれに応じた解析手法が適宜用いられ（Ｓ１１１）、主ウィンドウ及びリンクウィンドウに表示されるリンク先及びリンクウィンドウ中に表示されたリンク先のリンク先番号が設定される。例えば、このデータとしては、第２の実施の形態におけるPageRankや、第３の実施の形態におけるアクセス履歴を用いることができる。例えば、PageRankが用いられる場合には、PageRankが１〜２０位のリンク先が主ウィンドウに表示され、更に１〜７位のリンク先が選択されてリンク先番号と共にリンクウィンドウに表示される。また、第４の実施の形態におけるURL文字数や、第５の実施の形態におけるURLの階層の差等を同様に用いることができる。
【００６８】
なお、上記の例では、主ウィンドウで表示するリンク先の選択の基準、リンクウィンドウで表示するリンク先を選択する基準、及びリンク先番号の設定の基準は共に同一（例えばアクセス頻度）としたが、これに限られるものではない。例えば、主ウィンドウにはアクセス頻度の１〜２０位のリンク先を表示し、リンクウィンドウには、その中からURL文字数の少ないものから１〜７番目のリンク先番号を設定し、表示させてもよい。同様に、これらの選択、設定の基準は、利用者にとってリンク先の設定が容易であれば、任意である。
【００６９】
また、上記の例では、主ウィンドウに表示させるリンク先の中から特に選択されたリンク先をリンクウィンドウに表示するが、これに限られるものではない。例えば、アクセス頻度の高い順に１〜２０位のリンク先を主ウィンドウに表示させ、２１〜２７位のリンク先に１〜７のリンク先番号を設定し、リンクウィンドウに表示させてもよい。この場合には、リンクウィンドウと主ウィンドウの内容は重複しない。利用者は、リンクウィンドウにおけるリンク先をリンク先番号によって選択することができ、主ウィンドウにおけるリンク先を十字キーを用いてカーソルを移動させることで選択することができる。この場合、主ウィンドウで表示するリンク先の数は、十字キーでの選択が容易なように、２０個以下であることが好ましい。一方、リンクウィンドウで表示するリンク先の数は、操作部３における数字キーの数以下であることが好ましく、１２個以下であることが好ましい。
【００７０】
なお、図１２はリンクウィンドウが１個の例であるが、リンクウィンドウの数は任意である。例えば、複数個のリンクウィンドウにそれぞれ複数のリンク先が表示され、そのうちの一つのリンクウィンドウが利用者で選択された場合に、そのリンクウィンドウに表示されたリンク先にリンク先番号が設定されて表示される設定値することもできる。
【００７１】
第７の実施の形態においても、選択できるリンク先の数が多い場合にも、利用者は容易にその選択を行うことができる。
【００７２】
なお、第３〜第７の実施の形態に係るネットワーク接続型テレビ受像機においても、第１の実施の形態とは、リンク情報調整手段６、あるいは表示手段１０７の動作が異なるだけである。このため、第１の実施の形態と第２の実施の形態の場合と同様に、これらの機能を同一のネットワーク接続型テレビ受像機上で切り替えて動作させることが可能である。特に、利用者がこれらを適宜選択することもできる。
【００７３】
なお、以上の例では、ネットワーク接続型テレビ受像機について述べたが、表示画面に表示された複数のリンク先から利用者の選択により接続されるリンク先が指定される場合には、本願発明のリンク先の表示方法は同様に適用できる。この場合も同様に利用者は簡便にリンク先の指定を行うことができることは明らかである。
【図面の簡単な説明】
【００７４】
【図１】本発明の第１の実施の形態となるネットワーク接続型テレビ受像機の構成を示す図である。
【図２】本発明の第１の実施の形態となるネットワーク接続型テレビ受像機におけるリンク先表示画面の一例である。
【図３】本発明の第１の実施の形態となるネットワーク接続型テレビ受像機におけるリンク先表示画面の他の一例（ａ）（ｂ）である。
【図４】本発明の第２の実施の形態となるネットワーク接続型テレビ受像機におけるリンク先表示画面の一例である。
【図５】本発明の第２の実施の形態となるネットワーク接続型テレビ受像機におけるリンク情報調整工程および表示工程について示すフローチャート図である。
【図６】本発明の第３の実施の形態となるネットワーク接続型テレビ受像機におけるリンク先表示画面の一例である。
【図７】本発明の第４の実施の形態となるネットワーク接続型テレビ受像機におけるリンク先表示画面の一例である。
【図８】本発明の第５の実施の形態となるネットワーク接続型テレビ受像機におけるリンク先表示画面の一例である。
【図９】本発明の第６の実施の形態となるネットワーク接続型テレビ受像機におけるリンク先表示画面の一例である。
【図１０】本発明の第７の実施の形態となるネットワーク接続型テレビ受像機における表示画面の一例である。
【図１１】本発明の第７の実施の形態となるネットワーク接続型テレビ受像機の構成を示す図である。
【図１２】本発明の第７の実施の形態となるネットワーク接続型テレビ受像機におけるリンク情報調整工程および表示工程について示すフローチャート図である。
【符号の説明】
【００７５】
１、１０１  ネットワーク接続型テレビ受像機
２、１０２  本体
３  操作部
４  ネットワーク接続手段
５  リンク情報取得手段
５１  タグ解析部
５２  リンク情報取得部
６、１０６  リンク情報調整手段
６１  リンク情報解析部
６２  頻度表記憶部
６３  OSD表示位置計算部
７、１０７  表示手段
７１  OSD表示発生回路
７２  映像表示部
８  制御部
１６３  リンクウィンドウ表示位置計算部
１７１  リンクウィンドウ作成部                  
【図１】
2008167391.tif 000003
【図２】
2008167391.tif 000004
【図３】
2008167391.tif 000005
【図４】
2008167391.tif 000006
【図５】
2008167391.tif 000007
【図６】
2008167391.tif 000008
【図７】
2008167391.tif 000009
【図８】
2008167391.tif 000010
【図９】
2008167391.tif 000011
【図１０】
2008167391.tif 000012
【図１１】
2008167391.tif 000013
【図１２】
2008167391.tif 000014